(57)【要約】 【課題】  レバー無しのコネクタとして兼用でき、レバー無しの状態でもハウジング同士を嵌合状態にロックできるレバー式コネクタを提供する。【解決手段】  レバー３０を第１ハウジング１０に取り付けた状態で両ハウジング１０，４０を嵌合した場合と、レバー３０を第１ハウジング１０から外した状態で両ハウジング１０，４０を嵌合した場合のいずれにおいても、ロックアーム１８とロック部４４との係止により両ハウジング１０，４０が嵌合状態にロックされる。レバー３０を用いて両ハウジング１０，４０を嵌合した状態では、レバー３０を嵌合位置から待機位置側へ変位させれば、ロック解除手段（解除用突起２０、解除用凹部３４）の係合によってロックアーム１８がロック部４４から解離する。【選択図】  図８
2007042509.tif 000002
【特許請求の範囲】
【請求項１】
第１ハウジングと、
前記第１ハウジングに対して着脱可能とされ、前記第１ハウジングに取り付けた状態では待機位置と嵌合位置との間での変位を可能とされたレバーと、
カムフォロアを有する第２ハウジングとを備えてなり、
待機位置にある前記レバーのカム溝に前記カムフォロアを進入させつつ前記両ハウジングを浅く嵌合した状態から、前記レバーを嵌合位置まで変位させることで、前記カム溝と前記カムフォロアとの係合によるカム作用により前記両ハウジングが嵌合されるようになっているレバー式コネクタにおいて、
前記第１ハウジングと前記第２ハウジングのうち一方のハウジングにはロックアームが設けられ、
前記第１ハウジングと前記第２ハウジングのうち他方のハウジングにはロック部が形成され、
前記両ハウジングが嵌合した状態では、前記ロックアームと前記ロック部との係止により前記両ハウジングが離脱規制されるようになっており、
前記レバーが板状部を有し、
前記ロックアームが、前記レバーに対し、前記板状部の板厚方向に重なる形態となるように配されており、
前記板状部と前記ロックアームには、嵌合位置にある前記レバーが待機位置側へ変位するのに伴なって前記ロックアームをロック解除方向へ変位させて前記ロック部から解離させるロック解除手段が設けられていることを特徴とするレバー式コネクタ。
【請求項２】
前記ロック解除手段は、前記レバーと前記ロックアームのうちいずれか一方に形成した解除用凹部と、前記レバーと前記ロックアームのうち他方に形成した解除用突起とから構成されており、
前記ハウジングが嵌合した状態では前記解除用凹部に前記解除用突起が嵌入され、
前記レバーを待機位置側へ変位すると、前記解除用凹部の開口縁が前記解除用突起の側面に当接することで前記ロックアームがロック解除方向へ変位する構成としたことを特徴とする請求項１に記載のレバー式コネクタ。
【請求項３】
前記解除用凹部が、前記レバーに配されているとともに、前記レバーを貫通する形態とされており、
前記両ハウジングが嵌合した状態では、前記ロックアームに形成されている前記解除用突起の先端部が前記解除用凹部を貫通して突出し、前記解除用突起の突出端部が前記ロック部に係止することで前記両ハウジングが離脱規制される構成としたことを特徴とする請求項２に記載のレバー式コネクタ。
【請求項４】
前記レバーには、前記レバーが待機位置にある状態において前記ロックアーム側のロック解除手段を嵌合させる保持部が形成され、
前記保持部と前記ロックアーム側のロック解除手段との嵌合により、前記レバーが待機位置に保持される構成としたことを特徴とする請求項１ないし請求項３のいずれかに記載のレバー式コネクタ。
【請求項５】
前記第１ハウジングと前記レバーには、前記レバーが嵌合位置へ変位した状態において、互いに係止することで前記レバーを待機位置側への変位を規制するレバーロック手段が設けられていることを特徴とする請求項１ないし請求項４のいずれかに記載のレバー式コネクタ。
【発明の詳細な説明】
【技術分野】
【０００１】
本発明は、レバー式コネクタに関するものである。
【背景技術】
【０００２】
従来、レバー式コネクタとして、特許文献１に記載されているものがある。これは、第１ハウジングに、待機位置と嵌合位置との間で変位するようにレバーが取り付けられ、第２ハウジングにはカムフォロアが設けられており、レバーを待機位置に保持した状態で両ハウジングを浅く嵌合させることによりカムフォロアをレバーのカム溝に進入させ、その状態からレバーを嵌合位置まで変位させることで、カム溝とカムフォロアとの係合によるカム作用により両ハウジングが嵌合され、両ハウジングの端子金具同士が接続されるようになっている。両ハウジングが嵌合されると、レバーと第１ハウジングに設けたロック手段により、嵌合位置のレバーが待機位置へ戻らないようにロックされ、レバーがロックされることで、両ハウジングが嵌合状態にロックされる。
【特許文献１】特開平８−７８０９１号公報
【発明の開示】
【発明が解決しようとする課題】
【０００３】
既存のレバー式コネクタと端子金具同士の接続構造が共通であって、レバーによる嵌合手段を有しない形態のコネクタが要望された場合、レバーを有するハウジングとレバーを有しないハウジングを、夫々、専用ハウジングとして別々に製造しようとすると、ハウジング成型のために２種類の金型が必要となり、コストが高くなる。  
コストアップを回避する手段としては、既存のレバー式コネクタにおいてレバーを外すことで、レバー無しのタイプとして流用することが考えられる。しかし、従来のレバー式コネクタでは、両ハウジングを嵌合状態にロックする手段としてレバーのロック手段と第１ハウジングのロック手段を係合させるようになっていたため、レバーを第１ハウジングから外してしまうと、両ハウジングを嵌合状態にロックさせることはできない。  
本発明のレバーコネクタは上記のような事情に基づいて完成されたものであって、レバー無しのコネクタとして兼用できるとともに、レバー無しの状態でもハウジング同士を嵌合状態にロックできるようにすることを目的とする。
【課題を解決するための手段】
【０００４】
上記の目的を達成するための手段として、請求項１の発明は、第１ハウジングと、前記第１ハウジングに対して着脱可能とされ、前記第１ハウジングに取り付けた状態では待機位置と嵌合位置との間での変位を可能とされたレバーと、カムフォロアを有する第２ハウジングとを備えてなり、待機位置にある前記レバーのカム溝に前記カムフォロアを進入させつつ前記両ハウジングを浅く嵌合した状態から、前記レバーを嵌合位置まで変位させることで、前記カム溝と前記カムフォロアとの係合によるカム作用により前記両ハウジングが嵌合されるようになっているレバー式コネクタにおいて、前記第１ハウジングと前記第２ハウジングのうち一方のハウジングにはロックアームが設けられ、前記第１ハウジングと前記第２ハウジングのうち他方のハウジングにはロック部が形成され、前記両ハウジングが嵌合した状態では、前記ロックアームと前記ロック部との係止により前記両ハウジングが離脱規制されるようになっており、前記レバーが板状部を有し、前記ロックアームが、前記レバーに対し、前記板状部の板厚方向に重なる形態となるように配されており、前記板状部と前記ロックアームには、嵌合位置にある前記レバーが待機位置側へ変位するのに伴なって前記ロックアームをロック解除方向へ変位させて前記ロック部から解離させるロック解除手段が設けられているところに特徴を有する。
【０００５】
請求項２の発明は、請求項１に記載のものにおいて、前記ロック解除手段は、前記レバーと前記ロックアームのうちいずれか一方に形成した解除用凹部と、前記レバーと前記ロックアームのうち他方に形成した解除用突起とから構成されており、前記ハウジングが嵌合した状態では前記解除用凹部に前記解除用突起が嵌入され、前記レバーを待機位置側へ変位すると、前記解除用凹部の開口縁が前記解除用突起の側面に当接することで前記ロックアームがロック解除方向へ変位する構成としたところに特徴を有する。
【０００６】
請求項３の発明は、請求項２に記載のものにおいて、前記解除用凹部が、前記レバーに配されているとともに、前記レバーを貫通する形態とされており、前記両ハウジングが嵌合した状態では、前記ロックアームに形成されている前記解除用突起の先端部が前記解除用凹部を貫通して突出し、前記解除用突起の突出端部が前記ロック部に係止することで前記両ハウジングが離脱規制される構成としたところに特徴を有する。
【０００７】
請求項４の発明は、請求項１ないし請求項３のいずれかに記載のものにおいて、前記レバーには、前記レバーが待機位置にある状態において前記ロックアーム側のロック解除手段を嵌合させる保持部が形成され、前記保持部と前記ロックアーム側のロック解除手段との嵌合により、前記レバーが待機位置に保持される構成としたところに特徴を有する。
【０００８】
請求項５の発明は、請求項１ないし請求項４のいずれかに記載のものにおいて、前記第１ハウジングと前記レバーには、前記レバーが嵌合位置へ変位した状態において、互いに係止することで前記レバーを待機位置側への変位を規制するレバーロック手段が設けられているところに特徴を有する。
【発明の効果】
【０００９】
＜請求項１の発明＞
レバーを第１ハウジングに取り付けた状態で両ハウジングを嵌合すると、ロックアームとロック部との係止により両ハウジングが嵌合状態にロックされる。レバーを第１ハウジングから外した状態で両ハウジングを嵌合した場合も、ロックアームとロック部との係止により両ハウジングが嵌合状態にロックされる。本発明のレバーコネクタは、レバー無しのコネクタとして兼用できるとともに、レバー無しの状態でもハウジング同士を嵌合状態にロックすることができる。  
また、レバーを用いて両ハウジングを嵌合した状態においては、レバーを嵌合位置から待機位置側へ変位させれば、ロック解除手段によってロックアームがロック部から解離するので、レバーの操作とは別にロックアームをロック解除させる操作を行う必要がなく、作業性に優れている。  
また、ロックアームがレバーとは重ならないような配置の場合には、板状部と平行な二次元平面上においてロックアームを配置するための専用のスペースが必要となるが、本発明では、ロックアームをレバーと重なるように配置し、板状部と平行な二次元平面上においてロックアームを配置するための専用スペースを不要としたので、レバー式コネクタ全体として小型化を図ることができる。
【００１０】
＜請求項２の発明＞
ロック解除手段を解除用凹部と解除用突起とによって構成し、ハウジングが嵌合した状態では解除用突起を解除用凹部に収容するようにしたので、解除用突起を収容するための専用のスペースが不要となり、レバー式コネクタ全体としての小型化を図ることができる。
【００１１】
＜請求項３の発明＞
ロック解除手段である解除用突起が、両ハウジングを嵌合状態にロックする手段を兼ねているので、両ハウジングをロックするための専用手段を解除用突起とは別にロックアームに設けたものに比べると、ロックアームの形状の簡素化を図ることができる。
【００１２】
＜請求項４の発明＞
ロックアーム側のロック解除手段が、レバーを待機位置に保持する手段を兼ねているので、レバーを待機位置に保持するための専用手段をロック解除手段とは別にロックアームに設けたものに比べると、ロックアームの形状の簡素化を図ることができる。
【００１３】
＜請求項５の発明＞
レバーを嵌合位置へ変位させた状態では、レバーロック手段によってレバーの待機位置側への変位を規制するようにしたので、両ハウジングを嵌合状態に確実にロックすることができる。
【発明を実施するための最良の形態】
【００１４】
＜実施形態１＞
以下、本発明を具体化した実施形態１を図１乃至図１０を参照して説明する。本実施形態のコネクタは、第１ハウジング１０とレバー３０と第２ハウジング４０とを備えて構成されている。  
第１ハウジング１０は、合成樹脂製であり、全体として方形のブロック状をなす。第１ハウジング１０の上端部には、前後寸法及び左右寸法に対して高さ寸法の小さい扁平な作動空間１１が、第１ハウジング１０の前後両端面に開口する形態で形成されている。作動空間１１内には、その床面から上方へ突出する形態（軸線を上下方向に向けた形態）の支持軸１２が形成されている。また、作動空間１１の天井面には、その左端側の後部位置から下方（作動空間１１内へ）突出する受け部１３（本発明の構成要件であるレバーロック手段）が形成されている。さらに、作動空間１１の上面壁１４（第１ハウジング１０の上面壁１４）における右端側位置には、前端縁から後方（両ハウジング１０，４０の嵌合方向と平行な方向）へ直線状に切欠した形態のロック用切欠部１５が形成され、作動空間１１の上面壁１４における幅方向ほぼ中央位置には、前端縁から後方へ直線状に切欠した形態のカム用切欠部１６が形成されている。また、第１ハウジング１０における作動空間１１よりも下方の領域に形成した複数のキャビティ１７には、雌端子金具（図示せず）が上下左右に整列して形成されている。
【００１５】
作動空間１１内には、ロックアーム１８が収容されている。ロックアーム１８は、前後方向に細長く延びた形態であって、その前端の脚部１９において作動空間１１の床面に支持されている。かかる片持ち状のロックアーム１８は、脚部１９を略支点として上下方向（両ハウジング１０，４０の嵌合方向と交差する方向）へ傾動しつつ弾性変位し得るようになっている。ロックアーム１８の上面には、上方へ山形に突出する形態の解除用突起２０（本発明の構成要件であるロック解除手段）が形成されている。解除用突起２０の前後両面は水平方向（レバー３０の回動変位方向）に対して傾斜した傾斜面２１Ｆ，２１Ｒとなっている。また、解除用突起２０の上端部（突出端部）には、その上面から後面に亘って切欠した形態であって、前面が両ハウジング１０，４０の嵌合方向と直角な係止面２２Ｓとされたロック凹部２２が形成されている。また、ロックアーム１８の後端部（延出端部）は、解除用操作部２３となっている。
【００１６】
作動空間１１内にはレバー３０が収容されている。レバー３０は、合成樹脂製であり、全体として平板状（一枚板状）をなしている。したがって、レバー３０の全体が、本発明の板状部に相当する。かかるレバー３０は、その軸受孔３１を支持軸１２に嵌合させることで、支持軸１２を中心として待機位置と嵌合位置との間で水平方向に回動変位し得るようになっている。かかるレバー３０は、第１ハウジング１０に対して着脱可能である。即ち、作動空間１１の上面壁１４を上方へ湾曲させるように弾性変形させつつ支持軸１２の上端から軸受孔３１を嵌合させることで、レバー３０を第１ハウジング１０に組み付けることができ、作動空間１１の上面壁１４を上方へ湾曲させるように弾性変形させつつ支持軸１２の上端から軸受孔３１を外すことで、レバー３０を第１ハウジング１０から離脱させることができる。レバー３０を作動空間１１内に組み付けた状態では、レバー３０がロックアーム１８の上方に位置し、レバー３０とロックアーム１８がレバー３０の板厚方向に重なるように配置される。
【００１７】
レバー３０における軸受孔３１よりも前方の領域には、その外周縁から中心側に向かって切欠した形態のカム溝３２が形成されている。また、レバー３０の右端側領域には、レバー３０を上下方向に貫通する方形孔状の保持部３３と、同じくレバー３０を上下に貫通する方形の解除用凹部３４（本発明の構成要件であるロック解除手段）とが形成されている。解除用凹部３４は保持部３３よりも前方に位置し、解除用凹部３４と保持部３３は幅狭の連通部３５を介して連通している。また、レバー３０の左端側領域には、後方へ片持ち状に延出する形態のロック用撓み片３６（本発明の構成要件であるレバーロック手段）が形成され、ロック用撓み片３６の上面には、係止突起３７が形成されている。レバー３０の後端縁における左端部には、回動操作部３８が形成され、回動操作部３８の中にロック用撓み片３６の後端部３６Ｒが配置されている。
【００１８】
第２ハウジング４０は、合成樹脂製であり、前方（第１ハウジング１０側）に向かって開口する方形筒状のフード部４１を有する。フード部４１内には、雄端子金具の前端のタブ４２が配置されている。フード部４１の上面板には、その下面における幅方向略中央位置から下方へ突出する形態のカムフォロア４３が形成されている。カムフォロア４３は、軸線を上下方向に向けた円柱状をなす。また、フード部４１の上面板には、左端側の位置から下方へ突出する形態のロック部４４が形成されている。ロック部４４の前面は、両ハウジング１０，４０の嵌合方向と直角な係止面４４Ｓとなっている。
【００１９】
次に、本実施形態の作用を説明する。  
レバー３０を用いずに、両ハウジング１０，４０を嵌合する際には、両ハウジング１０，４０を接近させて第１ハウジング１０をフード部４１の内部に嵌合させればよい。両ハウジング１０，４０が嵌合する過程では、解除用突起２０とロック部４４との干渉によりロックアーム１８が下方へ弾性変形する。そして、両ハウジング１０，４０が正規の嵌合状態に至ると、ロックアーム１８が上方へ弾性復帰し、ロック部４４がロック凹部２２に嵌合して双方の係止面２２Ｓ，４４Ｓ同士が係止する。この係止作用により、正規嵌合された両ハウジング１０，４０が離脱を規制された状態にロックされる。また、この状態から両ハウジング１０，４０を離脱させる際には、第１ハウジング１０（作動空間１１）の後方へ突出している解除用操作部２３を下方へ押し下げ操作して、ロックアーム１８を下方へ弾性撓みさせる。すると、ロック凹部２２とロック部４４が解離し、ロックアーム１８とロック部４４によるロック状態が解除される。この後は、このロック解除状態を保ったまま、両ハウジング１０，４０を引き離せばよい。
【００２０】
次に、レバー３０を用いて両ハウジング１０，４０を嵌合させる作業について説明する。レバー３０は、予め、図６に示す待機位置に回動させる。レバー３０が待機位置にある状態では、ロックアーム１８の解除用突起２０がレバー３０の解除用凹部３４に嵌合することにより、レバー３０が回動を規制されて待機位置に保持される。また、カム溝３２の入り口（レバー３０の外周縁におけるカム溝３２の開口部）が前方に開放した状態でカムフォロア４３の進入に備えて待機する。
【００２１】
この状態から第１ハウジング１０をフード部４１内に浅く嵌合させると、図６に示すように、カムフォロア４３が、カム用切欠部１６内を移動しつつカム溝３２の入り口に進入するとともに、ロック部４４が、ロック用切欠部１５内を移動しつつ解除用突起２０に接近した状態となる。
【００２２】
この状態から、第１ハウジング１０（作動空間１１）の後方へ突出している回動操作部３８を摘んでレバー３０を回動させると、カム溝３２とカムフォロア４３との係合によるカム作用により、両ハウジング１０，４０が引き寄せられて嵌合が進む。嵌合の過程では、ロック部４４と解除用突起２０との干渉によってロックアーム１８が下方（レバー３０の板厚方向）へ弾性撓みするとともに、受け部１３と係止突起３７との干渉によってロック用撓み片３６が下方へ弾性撓みする。尚、第２ハウジング４０のロック部４４はレバー３０よりも上方を移動する。
【００２３】
そして、レバー３０が嵌合位置まで回動されて両ハウジング１０，４０が正規の嵌合状態に至ると、ロックアーム１８が弾性復帰して解除用突起２０が解除用凹部３４内に入り込み、ロック凹部２２とロック部４４が係止することにより、両ハウジング１０，４０が離脱規制された状態にロックされる。これとほぼ同時に、ロック用撓み片３６が上方へ弾性復帰し、係止突起３７と受け部１３が係止することにより、レバー３０が待機位置側への回動を規制された状態にロックされる。また、タブ４２は、第１ハウジング１０内に進入して雌端子金具に接続される。
【００２４】
この状態から両ハウジング１０，４０を離脱させる際には、第１ハウジング１０の後方へ突出しているロック用撓み片３６の後端部３６Ｒを押し下げ操作して係止突起３７と受け部１３との係止によるレバーロック状態を解除し、この解除状態を保ったままで回動操作部３８を操作してレバー３０を待機位置側へ回動させる。すると、カム溝３２とカムフォロア４３との係合によるカム作用により両ハウジング１０，４０が互いに引き離される。また、レバー３０の回動が開始するのに伴い、解除用突起２０の傾斜面２１Ｒと解除用凹部３４の開口縁との係合によってロックアーム１８が下方へ弾性撓みさせられ、ロック凹部２２とロック部４４との係止によるハウジングロック状態が解除される。したがって、ロックアーム１８の解除操作を行う必要はない。
【００２５】
上述のように本実施形態においては、レバー３０を第１ハウジング１０に取り付けた状態で両ハウジング１０，４０を嵌合すると、ロックアーム１８とロック部４４との係止により両ハウジング１０，４０が嵌合状態にロックされ、レバー３０を第１ハウジング１０から外した状態で両ハウジング１０，４０を嵌合した場合も、ロックアーム１８とロック部４４との係止により両ハウジング１０，４０が嵌合状態にロックされる。このように本実施形態のレバー式コネクタは、レバー無しのコネクタとして兼用できるとともに、レバー無しの状態でもハウジング１０，４０同士を嵌合状態にロックすることができる。
【００２６】
また、レバー３０を用いて両ハウジング１０，４０を嵌合した状態においては、レバー３０を嵌合位置から待機位置側へ変位させれば、ロック解除手段（解除用突起２０と解除用凹部３４）によってロックアーム１８がロック部４４から解離するので、レバー３０の操作とは別にロックアーム１８をロック解除させる操作を行う必要がなく、作業性に優れている。
【００２７】
また、ロックアーム１８がレバー３０とは重ならないような配置の場合には、板状部と平行な二次元平面上においてロックアーム１８を配置するための専用のスペースが必要となるが、本実施形態では、ロックアーム１８をレバー３０と重なるように配置し、レバー３０と平行な二次元平面上においてロックアーム１８を配置するための専用スペースを不要としたので、レバー式コネクタ全体として小型化を図ることができる。
【００２８】
また、ロック解除手段を解除用凹部３４と解除用突起２０とによって構成し、ハウジング１０，４０が嵌合した状態では解除用突起２０を解除用凹部３４に収容するようにしたので、解除用突起２０を収容するための専用のスペースが不要となり、レバー式コネクタ全体としての小型化を図ることができる。
【００２９】
また、解除用凹部３４がレバー３０を貫通する形態とされ、両ハウジング１０，４０が嵌合した状態では、ロックアーム１８の解除用突起２０の先端部が解除用凹部３４を貫通して突出し、解除用突起２０の突出端部がロック部４４に係止することで両ハウジング１０，４０が離脱規制されるようになっている。このように、本実施形態では、ロック解除手段である解除用突起２０が、両ハウジング１０，４０を嵌合状態にロックする手段を兼ねているので、両ハウジング１０，４０をロックするための専用手段を解除用突起２０とは別にロックアーム１８に設けたものに比べると、本実施形態ではロックアーム１８の形状の簡素化を図ることができる。
【００３０】
また、ロックアーム１８側のロック解除手段である解除用突起２０が、保持部３３と係合することによりレバー３０を待機位置に保持する手段を兼ねるようにしたので、レバー３０を待機位置に保持するための専用手段をロック解除手段とは別にロックアーム１８に設けたものに比べると、ロックアーム１８の形状の簡素化を図ることができる。
【００３１】
また、レバー３０を嵌合位置へ変位させた状態では、レバーロック手段（受け部１３とロック用撓み片３６）によってレバー３０の待機位置側への変位を規制するようにしたので、両ハウジング１０，４０を嵌合状態に確実にロックすることができる。
【００３２】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態ではレバーを回動するようにしたが、本発明は、レバーが直線的にスライドするレバー式コネクタにも適用できる。  
（２）上記実施形態ではロックアームをレバーの取付け母体である第１ハウジングに設け、ロック部を第２ハウジングに設けたが、本発明によれば、ロックアームを第２ハウジングに設け、ロック部をレバーの取付け母体である第１ハウジングに設けてもよい。  
（３）上記実施形態ではレバーが１枚板状をなす場合について説明したが、本発明は、レバーが、操作部の両端から一対のアーム部を延出させた門形の形態である場合にも適用できる。  
（４）上記実施形態ではロックアームのロック解除方向（撓み方向）をレバーの板厚方向としたが、本発明によれば、ロックアームのロック解除方向（撓み方向）をレバーの板面と略平行な方向としてもよい。  
（５）上記実施形態では傾斜面をロックアーム側のロック解除手段（解除用突起）のみに形成したが、本発明によれば、傾斜面は、レバー側のロック解除手段（解除用凹部）のみに形成してもよく、レバー側のロック解除手段とロックアーム側のロック解除手段の両方に形成してもよい。  
（６）上記実施形態ではロックアームをロック解除方向へ変位させる際に、レバーが直接ロックアームに当接して押すようにしたが、本発明によれば、レバーが他の部材を介して間接的にロックアームを押すようしてもよい。  
（７）上記実施形態では解除用突起をロックアームに形成し、解除用凹部をレバーに形成したが、本発明によれば、解除用突起をレバーに形成し、解除用凹部をロックアームに形成してもよい。  
（８）上記実施形態ではレバー側のロック解除手段とロックアーム側のロック解除手段のうち一方を突起状とし、他方を凹み状としたが、本発明によれば、レバー側とロックアーム側の双方のロック解除手段を、共に、突起状としてもよい。  
（９）上記実施形態では解除用突起をロック手段としてロック部に係止させるようにしたが、本発明によれば、解除用突起とは別に、ロック部に係止する専用のロック用係止部を形成してもよい。  
（１０）上記実施形態ではレバーと第１ハウジングにレバーを嵌合位置にロックするためのレバーロック手段を設けたが、本発明によれば、このようなレバーロック手段を設けない構成としてもよい。
【図面の簡単な説明】
【００３３】
【図１】本実施形態の第１ハウジングの平面図
【図２】第１ハウジングの正面図
【図３】第１ハウジングの背面図
【図４】第２ハウジングの正面図
【図５】第２ハウジングの断面図
【図６】レバーが待機位置にある状態をあらわす一部切欠平面図
【図７】両ハウジングの嵌合過程をあらわす一部切欠平面図
【図８】両ハウジングが嵌合した状態をあらわす一部切欠平面図
【図９】図８のＸ−Ｘ線断面図
【図１０】図８のＹ−Ｙ線断面図
【符号の説明】
【００３４】
１０…第１ハウジング
１３…受け部（レバーロック手段）
１８…ロックアーム
２０…解除用突起（ロック解除手段）
３０…レバー（板状部）
３２…カム溝
３３…保持部
３４…解除用凹部（ロック解除手段）
３６…ロック用撓み片（レバーロック手段）
４０…第２ハウジング
４３…カムフォロア
４４…ロック部
【図１】
2007042509.tif 000003
【図２】
2007042509.tif 000004
【図３】
2007042509.tif 000005
【図４】
2007042509.tif 000006
【図５】
2007042509.tif 000007
【図６】
2007042509.tif 000008
【図７】
2007042509.tif 000009
【図８】
2007042509.tif 000010
【図９】
2007042509.tif 000011
【図１０】
2007042509.tif 000012